(57)【要約】【課題】音声の記録途中で使用状況に応じて音声記録の態様を変更する音声記録装置、音声記録方法、及び、音声記録プログラムを提供する。【解決手段】無線通信端末１００は、音声記録機能を有する。制御部１３０は、マイクロフォン１９２から入力された音声を、ゲインアンプ１９１により所定の利得（ゲイン）で増幅する。そして、ゲインアンプ１９１で増幅された音声を符号化処理部１９０で符号化する。符号化した音声データはユーザメモリ１５０に保存される。音声記録中に開閉検出部１７０が無線通信端末１００の開閉状態の変化を検出すると、制御部１３０はゲインアンプ１９１を制御して利得を変更する。これにより、音声記録中に開閉状態の変化があった場合、音声記録の感度を変更することができる。【選択図】図２
2007310240.tif 000002
【特許請求の範囲】
【請求項１】
複数の記録モードを備え、取得した音声を所定の記録モードで記録する音声記録装置において、
前記音声の記録中に、前記音声の取得に好適な状態であるか否かを判別する状態判別手段と、
前記状態判別手段の判別結果に基づき前記記録モードを変更するモード変更手段と、
を備えることを特徴とする音声記録装置。
【請求項２】
前記音声記録装置は、二つの筐体から構成され、
前記状態判別手段は、これらの筐体の位置関係の変化で好適な状態であるか否かを判別することを特徴とする請求項１に記載の音声記録装置。
【請求項３】
前記複数の記録モードは、前記音声を増幅する利得の異なる複数の記録モードであることを特徴とする請求項１又は２に記載の音声記録装置。
【請求項４】
前記複数の記録モードは、前記音声を符号化する符号化方式の異なる複数の記録モードであることを特徴とする請求項１又は２に記載の音声記録装置。
【請求項５】
前記複数の記録モードは、前記音声を符号化するサンプリングレートの異なる複数の記録モードであることを特徴とする請求項１又は２に記載の音声記録装置。
【請求項６】
前記音声の記録中に記録モードの変更があった場合、変更前の記録モードで記録した音声に基づく音声データと変更後の記録モードで記録した音声に基づく音声データとを別々に生成することを特徴とする請求項４又は５に記載の音声記録装置。
【請求項７】
前記音声を記録中に記録モードの変更があった場合、変更前の記録モードで記録した音声に基づく音声データと変更後の記録モードで記録した音声に基づく音声データとのデータ長を比較し、データ長の長い方の記録モードに合わせて全体を変更して一つの音声データを生成することを特徴とする請求項４又は５に記載の音声記録装置。
【請求項８】
複数の記録モードを備え、取得した音声を所定の記録モードで記録する音声記録方法において、
前記音声の記録中に、前記音声の取得に好適な状態であるか否かを判別する状態判別ステップと、
前記状態判別ステップによる判別結果に基づき前記記録モードを変更するモード変更ステップと、
を含むことを特徴とする音声記録方法。
【請求項９】
複数の記録モードを備え、取得した音声を所定の記録モードで記録するコンピュータを、
前記音声の記録中に、前記音声の取得に好適な状態であるか否かを判別する状態判別手段、
前記状態判別手段の判別結果に基づき前記記録モードを変更するモード変更手段、
として機能させることを特徴とする音声記録プログラム。
【発明の詳細な説明】
【技術分野】
【０００１】
本発明は、音声記録装置、音声記録方法、及び、音声記録プログラムに関する。
【背景技術】
【０００２】
近年、携帯電話等の携帯電子機器において、メモリの大容量化という背景もあって、様々なデータファイルを格納することができるようになっている。
【０００３】
また、携帯電話は、音声通話を行うためデジタル方式の音声符号化回路および復号化回路を元々備えていることから、これらを利用して音声を記録する機能を有するものが存在する（例えば、特許文献１）。
【０００４】
例えば、特許文献１に開示される技術は、二つ折りの携帯電話において、蓋閉状態でも好適に音声を記録するためマイク孔から外部に向けて溝が形成されていたり、蓋の開閉状態に応じて利得（ゲイン）を変更することができる。
【０００５】
しかし、特許文献１の技術では、一旦記録を開始してしまうと、記録途中に音声の音源の位置が変更した場合、一度記録を終了させなければ、音声取得の際の利得を変更することができない。このため、好適に音声が記録できなくなる可能性があった。
【特許文献１】特開２００４−３４３２６７号公報
【発明の開示】
【発明が解決しようとする課題】
【０００６】
本発明は、上記問題点に鑑みてなされたもので、音声の記録途中に記録の態様を変更することができる音声記録装置、音声記録方法、及び、音声記録プログラムを提供することを目的とする。
【課題を解決するための手段】
【０００７】
上記目的を達成するため、本発明の第１の観点に係る請求項１記載の音声記録装置は、複数の記録モードを備え、取得した音声を所定の記録モードで記録する音声記録装置において、
前記音声の記録中に、前記音声の取得に好適な状態であるか否かを判別する状態判別手段と、
前記状態判別手段の判別結果に基づき前記記録モードを変更するモード変更手段と、
を備えることを特徴とする。
【０００８】
また、請求項２記載の発明は、請求項１記載の発明において、前記音声記録装置は、二つの筐体から構成され、
前記状態判別手段は、これらの筐体の位置関係の変化で好適な状態であるか否かを判別することを特徴とする。
【０００９】
また、請求項３記載の発明は、請求項１又は２記載の発明において、前記複数の記録モードは、前記音声を増幅する利得の異なる複数の記録モードであることを特徴とする。
【００１０】
また、請求項４記載の発明は、請求項１又は２記載の発明において、前記複数の記録モードは、前記音声を符号化する符号化方式の異なる複数の記録モードであることを特徴とする。
【００１１】
また、請求項５記載の発明は、請求項１又は２記載の発明において、前記音声を符号化するサンプリングレートの異なる複数の記録モードであることを特徴とする。
【００１２】
また、請求項６記載の発明は、請求項４又は５記載の発明において、前記音声の記録中に記録モードの変更があった場合、変更前の記録モードで記録した音声に基づく音声データと変更後の記録モードで記録した音声に基づく音声データとを別々に生成することを特徴とする。
【００１３】
また、請求項７記載の発明は、請求項４又は５記載の発明において、前記音声を記録中に記録モードの変更があった場合、変更前の記録モードで記録した音声に基づく音声データと変更後の記録モードで記録した音声に基づく音声データとのデータ長を比較し、データ長の長い方の記録モードに合わせて全体を変更して一つの音声データを生成することを特徴とする。
【００１４】
本発明の第２の観点に係る請求項８記載の音声記録方法は、
複数の記録モードを備え、取得した音声を所定の記録モードで記録する音声記録方法において、
前記音声の記録中に、前記音声の取得に好適な状態であるか否かを判別する状態判別ステップと、
前記状態判別ステップによる判別結果に基づき前記記録モードを変更するモード変更ステップと、
を含むことを特徴とする。
【００１５】
本発明の第３の観点に係る請求項９記載の音声記録プログラムは、
複数の記録モードを備え、取得した音声を所定の記録モードで記録するコンピュータを、
前記音声の記録中に、前記音声の取得に好適な状態であるか否かを判別する状態判別手段、
前記状態判別手段の判別結果に基づき前記記録モードを変更するモード変更手段、
として機能させることを特徴とする。
【発明の効果】
【００１６】
本発明によれば、音声記録中に、記録すべき音声が取得に好適な状態であるか否かを判別し、その結果に基づいて複数の記録モードから対応する記録モードに変更して記録を行うので、例えば、記録途中で、当該装置が好適に音声を記録できなくなった場合、記録の態様を変更して、音声を記録することができる。
【発明を実施するための最良の形態】
【００１７】
（実施形態１）
本発明の実施形態に係る音声記録装置としての無線通信端末１００について、図面を参照して説明する。無線通信端末１００は、携帯電話であってもよいし、ＰＨＳ（Personal Handyphone System）であってもよい。
【００１８】
図１は、本実施形態の無線通信端末１００の外観図である。
本実施形態の無線通信端末１００は、図１に示すように、上側筐体と下側筐体とがヒンジ機構により折りたたみ可能に連結されている。
【００１９】
このような構成の無線通信端末１００において、図１（ａ）に示す開状態から図１（ｂ）に示す閉状態にするとマイクロフォン１９２が隠れる。従って、外部の音声を記録する場合、マイクロフォン１９２により集音（取得）するため、閉状態では開状態より感度が落ちてしまう。即ち、無線通信端末１００は、開状態で音声の取得に好適な状態にあり、閉状態では音声の取得に好適ではない。
【００２０】
図２は、実施形態１の無線通信端末１００の機能ブロック図である。
無線通信端末１００は、図２に示すように、通信処理部１１０、表示部１２０、制御部１３０、プログラムメモリ１４０、ユーザメモリ１５０、キー入力部１６０、開閉検出部１７０、復号処理部１８０、符号化処理部１９０、ゲインアンプ１９１などから構成される。
【００２１】
通信処理部１１０は、アンテナ１１１を介して通信網から音声信号を受信する。そして、受信した音声信号を後述する復号化処理部１８０に送出する。また、通信処理部１１０は、後述する符号化処理部１９０から受信した音声信号を、アンテナ１１１を介して通信網へ送信する。さらに、通信処理部１１０は、データ通信機能にかかる通信を制御し、例えば、ウェブサイトへのアクセスや電子メールの送受信をおこなう。
【００２２】
表示部１２０は、制御部１３０の制御のもと、操作画面などの各種画面を表示する。
【００２３】
制御部１３０は、無線通信端末１００の各部の動作を制御する。制御部１３０は、プログラムメモリ１４０に格納されているプログラムに基づき、各処理を実行する。なお、無線通信端末１００の各構成はそれぞれ制御部１３０と接続されており、各構成間でのデータ送受は制御部１３０を介しておこなわれるものとする。
【００２４】
プログラムメモリ１４０は、制御部１３０が実行するプログラムを格納する。プログラムメモリ１４０には、無線通信端末１００全体の動作を制御するための基本ソフトウェア（いわゆる、ＯＳなど）や、音声記録用のソフトウェアのほか、種々の機能を実現するためのアプリケーションソフトウェアなどが格納される。
【００２５】
音声記録用のソフトウェアは、無線通信端末１００を音声記録装置として機能させるためのソフトウェアである。音声記録用のソフトウェアが制御部１３０によりロードされると、無線通信端末１００は音声記録モードとなり、ユーザメモリ１５０に外部からの音声を記録することが可能となる。
【００２６】
音声記録モードには、口述記録モードと会議記録モードとがある。口述記録モードは、無線通信端末１００の比較的近い距離の音声を記録するためのモードであって、感度が低く設定される。会議記録モードは、会議などで広い範囲の音声を記録するためのモードであって、その感度は口述記録モードより高く設定される。
また、無線通信端末１００の開閉状態によっても感度を変更する。即ち、閉状態のときは、開状態よりも感度が高く設定される。
【００２７】
ユーザメモリ１５０は、主にユーザが入力するデータを記憶する。ユーザメモリ１５０は、アドレス帳データやメールデータを格納する。また、外部から入力された音声を記録する。
【００２８】
キー入力部１６０は、無線通信端末１００の外面上に構成されたキーからユーザの操作を受け付ける。キー入力部１６０は、ユーザの操作に応じた入力信号を制御部１３０に送出する。
【００２９】
キーは、センターキー１６１、カーソルキー１６２、ファンクションキー１６３、サイドキー１６４などから構成される。
【００３０】
センターキー１６１は、各種の操作を決定するためのキーである。
ユーザは、音声記録モードでセンターキー１６１を操作すると、設定された記録モードでの記録の開始を指示することができる。
【００３１】
カーソルキー１６２は、各種の操作を選択するためのキーである。
【００３２】
ファンクションキー１６３は、各種のメニュー、サブメニューを選択するためのキーである。
【００３３】
サイドキー１６４は、無線通信端末１００の側面に構成される。サイドキー１６４は、無線通信端末１００が閉状態であっても操作可能である。
ユーザは、音声記録モードでサイドキー１６４を操作すると、会議記録モードでの記録の開始を指示することができる。
【００３４】
これらのキーは、その他の所定の動作を指示するためのキーとして機能してもよい。また、これらのキー以外のキーを適宜備えてもよい。
【００３５】
開閉検出部１７０は、無線通信端末１００の開閉の状態を検出する。例えば、上側筐体に磁石を備え、下側筐体にホール素子を構成し、このホール素子にかかる電流値によって開閉状態を検出する。
開閉検出部１７０は、検出した開閉状態を制御部１３０に通知する。
【００３６】
復号化処理部１８０は、制御部１３０の制御のもと、通信処理部１１０からデジタル音声信号の入力を受け、アナログ音声に復号してスピーカ１８１により出力する。
【００３７】
符号化処理部１９０は、マイクロフォン１９２から入力され、ゲインアンプ１９１で増幅された音声をデジタル音声信号に符号化する。そして、符号化したデジタル音声信号を制御部１３０の制御のもと、通信処理部１１０に送出する。
ここでの音声の符号化の方式は、例えば、ＡＭＲ（adaptive multi-rate）方式を用いる。
【００３８】
ゲインアンプ１９１は、上述の通り、制御部１３０の制御のもと、マイクロフォン１９２から入力された音声を所定の利得で増幅する。
【００３９】
復号化処理部１８０と符号化処理部１９０との以上の機能により、無線通信端末１００の通話機能を実現する。
【００４０】
また、無線通信端末１００が音声記録モードのとき、ゲインアンプ１９１は、制御部１３０の制御のもと、マイクロフォン１９２から入力された音声を増幅する。そして、符号化処理部１９０は、制御部１３０の制御のもと、ゲインアンプ１９１が増幅した音声を符号化し、ユーザメモリ１５０に記録する。
【００４１】
上述したように、音声記録モードでは、口述記録モードであるか会議記録モードであるか、また、無線通信端末１００が開状態であるか閉状態であるか、即ち、音声の取得に好適な状態にあるか否かにより感度を変更する。制御部１３０はそのモード及び開閉状態に応じてゲインアンプ１９１による音声の増幅の利得を変更するよう制御して、感度を変更する。
【００４２】
具体的には、例えば、閉状態のときは開状態のときよりゲインアンプ１９１の利得を２ｄＢ上げる。また、会議記録モードでは口述記録モードのときより利得を９ｄＢ上げる。即ち、閉状態かつ会議記録モードでは、開状態かつ口述記録モードのときより１１ｄＢ利得が上げられる。
なお、本実施形態では音声記録モードの初期設定として、開状態かつ口述記録モードが設定されている。
【００４３】
現在の開閉状態や記録モードを判別するためのフラグ、開閉状態及び記録モードに対応する利得の値、及び、記録モードの初期設定は、制御部１３０に備えられるＲＡＭ（Random Access Memory）などに格納される。制御部１３０は、このＲＡＭの設定値を参照することでゲインアンプ１９１による増幅の利得を制御する。
【００４４】
次に、上記構成の無線通信端末１００の音声記録モードの動作を説明する。
図３は、実施形態１の音声記録モードの動作を説明するためのフローチャートである。
ユーザによるファンクションキー１６３などの所定の操作により、無線通信端末１００は音声記録モードとなる。
【００４５】
音声記録モードでは、先ず、制御部１３０は、キー入力部１６０からファンクションキー１６３の操作信号を検出したか否かを判別する（ステップＳ１０１）。
【００４６】
ファンクションキー１６３の操作信号を受信した場合（ステップＳ１０１；Ｙｅｓ）、制御部１３０は、表示部１２０に音声記録モードの記録モードを変更するためのサブメニュー画面を表示させる（ステップＳ１０２）。
【００４７】
そして、カーソルキー１６２の操作信号の検出により、記録モードの変更を検出し（ステップＳ１０３）、そして、センターキー１６１の操作信号の検出により、変更された記録モードに設定する（ステップＳ１０４）。
【００４８】
例えば、初期設定の記録モードは口述記録モードであるので、ステップＳ１０１〜Ｓ１０４の動作により会議記録モードに変更される。
【００４９】
ステップＳ１０１でファンクションキー１６３の操作信号を検出しなかった場合（ステップＳ１０１；Ｎｏ）、ステップＳ１０２〜Ｓ１０４の動作をスキップする。
【００５０】
続いて、制御部１３０は、キー入力部１６０からサイドキー１６４の操作信号を検出したか否かを判別する（ステップＳ１０５）。即ち、サイドキー１６４の操作により会議記録モードでの記録の開始が指示されたか否かを判別する。
【００５１】
サイドキー１６４の操作信号を検出しない場合（ステップＳ１０５；Ｎｏ）、制御部１３０は、センターキー１６１の操作信号を検出したか否かを判別する（ステップＳ１０６）。即ち、センターキー１６１の操作により設定された記録モードでの記録の開始が指示されたか否かを判別する。
【００５２】
所定の時間、センターキー１６１の操作信号を検出しない場合（ステップＳ１０６；Ｎｏ）、音声記録モードを終了する。
【００５３】
センターキー１６１の操作信号を検出した場合（ステップＳ１０６；Ｙｅｓ）、制御部１３０は、ゲインアンプ１９１を制御して設定された記録モードの感度で集音（取得）し、集音した音声を符号化処理部１９０で符号化する（ステップＳ１１０）。
【００５４】
一方、ステップＳ１０５でサイドキー１６４の操作信号を検出した場合（ステップＳ；Ｙｅｓ）、制御部１３０は、閉状態であるか否かを判別する（ステップＳ１０７）。
【００５５】
閉状態であると判別すると（ステップＳ１０７；Ｙｅｓ）、記録モードを会議記録モード（閉状態用）に設定する（ステップＳ１０８）。そしてステップＳ１１０の処理に進む。
【００５６】
閉状態でないと判別すると（ステップＳ１０７；Ｎｏ）、記録モードを会議記録モードに設定する（ステップＳ１０９）。そしてステップＳ１１０の処理に進む。
【００５７】
ステップＳ１１０の処理に続いて、制御部１３０は、開閉検出部１７０が開閉状態の変化を検出したか否かを判別する（ステップＳ１１１）。
【００５８】
開閉検出部１７０が開閉状態の変化を検出しない場合（ステップＳ１１１；Ｎｏ）、制御部１３０は、キー入力部１６０から音声記録の終了信号を検出するまで
ステップＳ１１０の動作及びステップＳ１１１の判別を繰り返す（ステップＳ１１２；Ｎｏ）。
【００５９】
ステップＳ１１１で、開閉検出部１７０が開閉状態の変化を検出した場合（ステップＳ１１１；Ｙｅｓ）、その開閉状態の変化に基づいてゲインアンプ１９１の感度を変更する（ステップＳ１１５）。そして、上述したステップＳ１１０に処理を戻す。
【００６０】
制御部１３０が、音声記録の終了信号を検出すると（ステップＳ１１２；Ｙｅｓ）、制御部１３０は記録を停止し、記録日時と記録した音声データの容量を取得する（ステップＳ１１３）。
【００６１】
そして、制御部１３０は、ステップＳ１１２で取得した記録日時と容量と対応付けて音声データをファイル化してユーザメモリ１５０に保存する（ステップＳ１１４）。
【００６２】
ステップＳ１１４の処理が終了すると音声記録モードを終了する。以上のようにして、設定された記録モード、あるいは開閉状態に応じた感度で音声を記録する。さらに、音声記録途中に開閉状態が変化した場合に、途中で感度を変更して音声を記録する。これによって、状態変化に応じた最適な記録モードで音声を記録することができる。
【００６３】
（実施形態２）
次に、本発明の音声記録装置の実施形態２について説明する。
図４は、実施形態２における無線通信端末１００の機能ブロック図である。
実施形態２は、図４に示すように、符号化処理部１９０及びゲインアンプ１９１の代わりに第１符号化処理部１９３と、第２符号化処理部１９４と、スイッチ１９５と、バッファ１９６と、を備える点で実施形態１と異なる。
【００６４】
第１符号化処理部１９３は、スイッチ１９５を介してマイクロフォン１９２から入力された音声をステレオの符号化方式で符号化する。
【００６５】
第２符号化処理部１９４は、スイッチ１９５を介してマイクロフォン１９２から入力された音声をモノラルの符号化方式で符号化する。
【００６６】
例えば、第１符号化処理部１９３は、ＡＭＲ方式で符号化し、第２符号化処理部１９４は、ＣＥＬＰ（Code Excited Linear Prediction）系方式で符号化する。
【００６７】
スイッチ１９５は、制御部１３０の制御のもと、マイクロフォン１９２から入力された音声を第１符号化処理部１９３（ステレオ）又は第２符号化処理部１９４（モノラル）に送出する。これにより、符号化方式を記録モード及び開閉状態に応じて変更することができる。
【００６８】
本実施形態では、会議記録モードでは開閉状態を問わず第１符号化処理部１９３（ステレオ）が使用される。口述記録モードでは、閉状態である場合は第１符号化処理部１９３（ステレオ）、開状態である場合は第２符号化処理部１９４（モノラル）がそれぞれ使用される。
また、本実施形態では音声記録モードの初期設定として、開状態かつ口述記録モードが設定されており、符号化には第２符号化処理部１９４（モノラル）が使用される設定となっている。
なお、好適に記録できるのであればこれらの設定に限るものではなく、また、適宜設定を変更できるようにしてもよい。
【００６９】
現在の開閉状態や記録モードを判別するためのフラグ、開閉状態及び記録モードに対応する符号化方式、及び、記録モードの初期設定は、制御部１３０に備えられるＲＡＭ（Random Access Memory）などに格納される。制御部１３０は、実施形態１と同様に、このＲＡＭの設定値を参照することでスイッチ１９５を制御して使用する符号化処理部を変更する。
【００７０】
本実施形態の口述記録モードでは、記録の途中で開閉検出部１７０により開閉状態の変化を検出すると、その時点で音声データを一度ファイル化して保存する。そして、符号化処理部を切り替えて、その後に入力された音声データは別ファイルとして保存する。
【００７１】
記録途中の開閉状態の変化による符号化処理部の切り替えにおいて、ファイル化に遅延が生じる。バッファ１９６は、その遅延分のデータを貯める機能を備える。
【００７２】
次に、上記構成の実施形態２の無線通信端末１００の音声記録モードの動作を説明する。
図５は、実施形態２の音声記録モードの動作を説明するためのフローチャートである。
【００７３】
ユーザによるファンクションキー１６３などの所定の操作により、無線通信端末１００は音声記録モードとなる。
【００７４】
実施形態２の音声記録モードのステップＳ２０１〜Ｓ２０６、及び、Ｓ２１１〜Ｓ２１５の動作は、図３に示す実施形態１のＳ１０１〜Ｓ１０６、及び、Ｓ１１１〜Ｓ１１５の動作と同様である。なお、実施形態２では、２００番台の番号を使用している。
【００７５】
実施形態２では、ステップＳ２０５でサイドキー１６４の操作を検出すると（ステップＳ２０５；Ｙｅｓ）、符号化方式を会議記録モードに設定する（ステップＳ２１６）。即ち、サイドキー１６４により記録の開始が指示されたので、制御部１３０は、マイクロフォン１９２から入力された音声を第１符号化処理部１９３（ステレオ）で符号化するようにスイッチ１９５を制御する。
【００７６】
ステップＳ２１６で符号化方式を設定すると、又は、ステップＳ２０６でセンターキー１６１の操作を検出すると、制御部１３０は、マイクロフォン１９２から集音（取得）を開始し、設定された符号化処理部（第１符号化処理部１９３または第２符号化処理部１９４）によって音声を符号化する（ステップＳ２１７）。
【００７７】
本実施形態では、音声記録中にステップＳ２１１で、開閉検出部１７０が開閉状態の変化を検出した場合（ステップＳ２１１；Ｙｅｓ）、その開閉状態の変化に基づいて符号化方式を変更する（ステップＳ２１８）。本実施形態では、口述記録モードで記録中に開閉状態の変化を検出すると、制御部１３０は、スイッチ１９５を制御して符号化処理部を変更する。
【００７８】
ステップＳ２１８に続いて制御部１３０は、変更後の符号化方式に対応した符号化処理部（第１符号化処理部１９３または第２符号化処理部１９４）が符号化した音声データをバッファ１９６に蓄積するように指示する（ステップＳ２１９）。
【００７９】
ステップＳ２１９に続いて制御部１３０は、今までの音声データの記録日時と記録した音声データの容量を取得する（ステップＳ２２０）。
そして、それをステップＳ２１２で取得した記録日時と容量とを対応付けてファイル化してユーザメモリ１５０に保存する（ステップＳ２２１）。
【００８０】
ステップＳ２２０で今までの音声データのファイル化が完了すると、制御部１３０は、ステップＳ２１９でバッファ１９６に蓄積した音声データを入力する（ステップＳ２２２）。そして、集音及び符号化を続行するためステップＳ２１７の処理に戻す。
【００８１】
実施形態１と同様に、ステップＳ２１４の処理が終了すると音声記録モードを終了する。以上のようにして、設定された符号化方式、あるいは開閉状態に応じた符号化方式で音声を記録する。そして、音声記録途中に開閉状態が変化した場合に、途中で符号化方式を変更して別ファイルで音声を記録することができる。
【００８２】
続いて、実施形態２の動作の変形例について説明する。
変形例は、実施形態２（図５）と音声データの保存方式が異なる。即ち、実施形態２（図５）では、開閉状態の変化ごとに新たなファイルが作成されるため、後のファイル管理が複雑になってしまうことがある。この変形例では、音声の記録中に開閉状態が変化しても、複数のファイルについて、長く置かれていた開閉状態に合わせて再符号化して１つのファイルとして保存する。
【００８３】
図６は、実施形態２の音声記録モードの変形例の動作を説明するためのフローチャートである。
変形例は、ステップＳ２０１〜Ｓ２１７までは図５の動作と同様である。
【００８４】
変形例では、音声記録中にステップＳ２１１で、開閉検出部１７０が開閉状態の変化を検出した場合（ステップＳ２１１；Ｙｅｓ）、今までに入力されたデータに記録開始日時のインデックスを付加してバッファ１９６に記録しておく（ステップＳ２２３）。
【００８５】
そして、開閉状態の変化に基づいて符号化方式を変更する（ステップＳ２１８）。そしてステップＳ２１７に処理を戻す。
【００８６】
ステップＳ２１２で制御部１３０が、音声記録の終了信号を検出すると（ステップＳ２１２；Ｙｅｓ）、制御部１３０は記録日時と記録した音声データの容量を取得する（ステップＳ２１３）。
【００８７】
そして、制御部１３０は、音声の記録途中で符号化方式が変更されているか否かを判別する（ステップＳ２２４）。
【００８８】
変更されていない場合（ステップＳ２２４；Ｎｏ）、ステップＳ２１２で取得した記録日時と容量と対応付けて音声データをファイル化してユーザメモリ１５０に保存する（ステップＳ２１４）。
【００８９】
一方、変更されていた場合（ステップＳ２２４；Ｙｅｓ）、制御部１３０は、バッファ１９６を参照して、ステップＳ２２３で記録したそれぞれの音声データのインデックスからデータ長を比較する（ステップＳ２２５）。
【００９０】
そして、制御部１３０は、第１符号化処理部１９３又は第２符号化処理部１９４を制御して、ステップＳ２２５で比較した結果、データ長の短い方のデータについて、データ長の長い方の符号化方式に合わせて再符号化する（ステップＳ２２６）。
【００９１】
ステップＳ２２６で再符号化すると、その符号化方式で１つのファイルを作成して保存する（ステップＳ２１４）。
【００９２】
ステップＳ２１４の処理が終了すると音声記録モードを終了する。以上のようにして、変形例では音声の記録中に開閉状態が変化しても、音声データをファイル化する際に、長くおかれていた開閉状態に合わせて再符号化して１つのファイルとして保存することができ、ファイル管理が容易になる。
【００９３】
（実施形態３）
実施形態３の音声記録装置を備える無線通信端末１００の構成は、図２に示す実施形態１の構成と同じである。
実施形態３では、無線通信端末１００の開閉状態に応じて符号化処理部１９０による音声の符号化のサンプリングレートを変更する。
【００９４】
即ち、開状態においては一義的に口述モードと判断する。口述モードでは音声が比較的取得しやすい好適な状態であるので、サンプリングレートを低くする。また、閉状態においては会議記録モードと判断する。この場合、音源から遠いこともあるため、サンプリングレートを高くして音質を高める。
【００９５】
なお、ユーザメモリ１５０の記憶容量が有限であることを考慮してサンプリングレートを変更するようにしてもよい。即ち、長時間記録する可能性の高い会議記録モードではデータ量を抑えるため、サンプリングレートを低く設定する。一方、長時間記録する可能性が低い口述記録モードではデータ量は増えるが高音質で記録するために、サンプリングレートを高くするようにしてもよい。
【００９６】
現在の開閉状態を判別するためのフラグ、開閉状態に対応するサンプリングレートは、制御部１３０に備えられるＲＡＭ（Random Access Memory）などに格納される。制御部１３０は、実施形態１と同様に、このＲＡＭの設定値を参照することで符号化処理部１９０を制御してサンプリングレートを変更する。
【００９７】
続いて、実施形態３の無線通信端末１００の音声記録モードの動作を説明する。
図７は、実施形態３の音声記録モードの動作を説明するためのフローチャートである。
ユーザによるファンクションキー１６３などの所定の操作により、無線通信端末１００は音声記録モードとなる。
【００９８】
音声記録モードでは、先ず、制御部１３０は、キー入力部１６０からセンターキー１６１又はサイドキー１６４の操作信号を検出したか否かを判別する（ステップＳ３２７）。即ち、記録の開始が指示されたか否かを判別する。
【００９９】
センターキー１６１又はサイドキー１６４の操作信号を検出した場合（ステップＳ３２７；Ｙｅｓ）、制御部１３０は、閉状態であるか否かを判別する（ステップＳ３２８）。
【０１００】
閉状態であると判別すると（ステップＳ３２８；Ｙｅｓ）、会議記録モードのサンプリングレートに設定する（ステップＳ３２９）。
【０１０１】
閉状態でないと判別すると（ステップＳ３２８；Ｎｏ）、口述記録モードのサンプリングレートに設定する（ステップＳ３３０）。
【０１０２】
ステップＳ３２９またはＳ３３０でサンプリングレートを設定すると、制御部１３０は、マイクロフォン１９２から集音（取得）を開始し、符号化処理部１９０を制御して集音した音声データを設定されたサンプリングレートで符号化する（ステップＳ３３１）。
【０１０３】
ステップＳ３３１で開始してからの動作は、図５に示す実施形態２のステップＳ２１１以下の動作と同様である。なお、実施形態３では、３００番台の番号を使用している。
また、実施形態２の変形例のように、ステップＳ３３１以下の動作を図８に示すようにして、音声の記録中に開閉状態が変化しても、複数のファイルについて、長く置かれていた開閉状態に合わせて再符号化して１つのファイルとして保存するようにしてもよい。
【０１０４】
以上に示した実施形態３では、無線通信端末１００の開閉状態で一義的に記録モードを設定し、記録モードに応じてサンプリングレートを変更する。これにより、使用状況に応じて高音質な音声を記録したり、低容量のデータとして記録することができる。また、開閉状態が記録途中で変更された場合、自動でサンプリングレートを変更することができる。
【０１０５】
なお、この発明は上記実施形態に限定されず、種々の変形及び応用が可能である。
【０１０６】
上記実施形態では、図１に示すような折りたたみ式の無線通信端末１００について説明したが、図９に示すようなスライド式の無線通信端末２００であってもよい。図９に示すような無線通信端末２００において、図９（ａ）を開状態、図９（ｂ）を閉状態とすれば、本発明を適用することができる。このようなスライド式の無線通信端末２００においても、図９（ｂ）に示すように閉状態になるとマイクロフォン２９２が隠れてしまうので音声記録をする場合に本発明を適用することが有効である。
また、２つの筐体が回転する機構により接続されているような無線通信端末１００にも適用可能である。
【０１０７】
上記実施形態では、制御部１３０が実行するプログラムは、予めプログラムメモリ１４０に格納されていたが、通信網を介してプログラムメモリ１４０に格納するようにしてもよい。
【０１０８】
上記実施形態では、メディアデータ処理装置を備える無線通信端末１００について説明したが、本発明を、ＰＤＡ（Personal Digital Assistants）などの情報端末にも適用することができる。
【図面の簡単な説明】
【０１０９】
【図１】本発明の実施形態の無線通信端末の外観図である。
【図２】実施形態１の無線通信端末の機能ブロック図である。
【図３】実施形態１の音声記録モードの動作を説明するためのフローチャートである。
【図４】実施形態２における無線通信端末の機能ブロック図である。
【図５】実施形態２の音声記録モードの動作を説明するためのフローチャートである。
【図６】実施形態２の音声記録モードの変形例の動作を説明するためのフローチャートである。
【図７】実施形態３の音声記録モードの動作を説明するためのフローチャートである。
【図８】実施形態３の音声記録モードの変形例の動作を説明するためのフローチャートである。
【図９】本発明を適用できる他の無線通信端末の外観図を示す図である。
【符号の説明】
【０１１０】
１００…無線通信端末、１１０…通信処理部、１１１…アンテナ、１２０…表示部、１３０…制御部、１４０…プログラムメモリ、１５０…ユーザメモリ、１６０…キー入力部、１６１…センターキー、１６２…カーソルキー、１６３…ファンクションキー、１６４…サイドキー、１７０…開閉検出部、１８０…復号化処理部、１８１…スピーカ、１９０…符号化処理部、１９１…ゲインアンプ、１９２…マイクロフォン、１９３…第１符号化処理部、１９４…第２符号化処理部、１９５…スイッチ、１９６…バッファ、２００…無線通信端末、２９２…マイクロフォン
【図１】
2007310240.tif 000003
【図２】
2007310240.tif 000004
【図３】
2007310240.tif 000005
【図４】
2007310240.tif 000006
【図５】
2007310240.tif 000007
【図６】
2007310240.tif 000008
【図７】
2007310240.tif 000009
【図８】
2007310240.tif 000010
【図９】
2007310240.tif 000011